(57)【要約】【課題】テンプルの交換が迅速に行え、フレームとテンプルの取り付け箇所の構造の強化、メガネ使用者が使用する時の利便性を向上させるメガネ構造を提供する。【解決手段】フレーム１０、テンプル２０、弾性片３０及び係止部材４０を有するメガネ構造である。フレーム１０は端部１０１に貫通口１０１１が設けられる。テンプル２０は、テンプル本体２０１の一端に連接アーム２０２を形成する。連接アーム２０２には、係止孔２０２１が設けられ、テンプル本体２０１から離れた側の一端に保持部２０２２が形成される。弾性片３０に第一開口３０１１と第二開口３０２１が設けられる。係止部材４０は係止構造４０１１が設けられた係止凸ブロック４０１を有し、係止凸ブロック４０１が貫通口１０１１、第一開口３０１１、第二開口３０２１及び係止孔２０２１を貫通して、係止構造４０１１が保持部２０２２に係止される。【選択図】図２
0003171795.tif 000002
【実用新案登録請求の範囲】
【請求項１】
相対する二つの端部を有し、いずれの前記端部にも少なくとも一つの貫通口が設けられるフレームと、
テンプル本体を有し、前記テンプル本体の一端が湾曲して連接アームを形成し、前記連接アームが前記フレームの前記端部に隣接し、前記連接アームに前記貫通口に対応する少なくとも一つの係止孔が設けられ且つ前記連接アームの前記テンプル本体から離れた側の一端に保持部が形成されるように構成された二つのテンプルと、
前記連接アームと前記フレームとの間に位置し、第一部及び第二部を有し、前記第一部が湾曲延伸して前記第二部を形成し、前記第一部に少なくとも一つの第一開口が設けられ、前記第二部に少なくとも一つの第二開口が設けられ、前記貫通口、前記第一開口、前記第二開口及び前記係止孔が連通するように構成された二つの弾性片と、
少なくとも一つの係止凸ブロックを有し、前記係止凸ブロックに係止構造が設けられ、前記係止凸ブロックが前記貫通口、前記第一開口、前記第二開口及び前記係止孔を貫通して、前記係止凸ブロックの前記係止構造が前記保持部に係止されるように構成された二つの係止部材と、
を備えることを特徴とするメガネ構造。
【請求項２】
前記テンプル本体の一端は前記フレームの前記二つの端部の間の方向へ湾曲延伸して前記連接アームを形成し、且つ、
前記テンプル本体の一端と前記連接アームとは連続してＬ字型を呈し、
前記テンプル本体は弾性構造であることを特徴とする請求項１記載のメガネ構造。
【請求項３】
前記弾性片の前記第一開口の口径は前記第二開口の口径より小さく、
前記弾性片の前記第一部における前記テンプル本体に近い側の一端は前記フレームの前記二つの端部の間の方向へ湾曲延伸して前記第二部を形成して、
前記弾性片はＵ字型構造を呈することを特徴とする請求項１記載のメガネ構造。
【請求項４】
前記弾性片の前記第一開口の口径は前記第二開口の口径より小さく、
前記弾性片の前記第一部における前記テンプル本体から離れた側の一端は前記テンプル本体の方向へ湾曲延伸して前記第二部を形成して、
前記弾性片はＵ字型構造を呈することを特徴とする請求項１記載のメガネ構造。
【請求項５】
前記テンプル本体の前記フレームから離れた側の一端は、前記フレームの前記二つの端部の間の方向へ湾曲して湾曲構造を形成することを特徴とする請求項１記載のメガネ構造。
【請求項６】
前記係止部材は基底を有し、前記基底の面積は前記フレームの前記貫通口の面積より大きく、前記基底の前記貫通口に近い側の内表面に前記係止凸ブロックが設けられ、前記貫通口、前記第一開口及び前記第二開口の位置が直線上となるように配列されることを特徴とする請求項１記載のメガネ構造。
【請求項７】
前記基底の内表面に垂直な前記係止凸ブロックの側縁周囲が前記貫通口に対応するような形状構造に形成され、
前記貫通口、前記第一開口、前記第二開口及び前記係止孔は方形を呈することを特徴とする請求項６記載のメガネ構造。
【請求項８】
前記係止構造が、上から下へ前記係止凸ブロックを貫通して、連続する第一係止部と第二係止部を形成し、
前記係止凸ブロックの一方の側面の中央に切れ目状の前記係止構造を設け、
前記係止構造が前記保持部に係止される時、前記係止凸ブロックの相対する他方の側面と前記係止孔の孔壁との間が所定の距離となり、前記保持部が前記第二係止部と前記弾性片の前記第二部との間に係止されることを特徴とする請求項１記載のメガネ構造。
【請求項９】
二つの先セルをさらに有し、いずれの前記先セルも前記テンプル本体の前記フレームから離れた側の一端に嵌められることを特徴とする請求項１記載のメガネ構造。
【請求項１０】
二つのレンズをさらに有し、前記フレームは二つの対称をなすレンズ開口を有し、
前記レンズ開口は前記端部に隣接し、
前記レンズは前記レンズ開口に対応して前記フレームに固定されることを特徴とする請求項１記載のメガネ構造。
【考案の詳細な説明】
【技術分野】
【０００１】
本考案はメガネ構造に関し、特に目の視覚能力を調整するメガネ構造に関するものである。
【背景技術】
【０００２】
従来のメガネ構造は通常フレーム、テンプル、レンズ、鼻当てから構成される。通常、フレームとテンプルとの取り付けはねじ締めによる。しかしながら、フレームとテンプルの取り付け箇所は非常に細く、ねじを前記構造に合わせるために、より小さいねじ部品を選択しなければならない。そのため、テンプルを取り外し又は取り付けする時、専用の道具（ねじドライバー等）を用意しなければならず、また、取り外した小さいねじを不注意でなくしてしまう恐れもあり、メガネ使用者にとって非常に不便であった。
【０００３】
また、ねじによりテンプルをフレームに固定する方法の場合、通常フレームとテンプルの取り付け箇所で締めたねじのねじ山が長期的に摩耗されると、ねじが緩む恐れがある。
【考案の概要】
【考案が解決しようとする課題】
【０００４】
テンプルはフレームに対して長期的に開閉運動することにより、ねじのねじ山が潰れ、ねじが容易に外れてしまう。この時、メガネ使用者はメガネを持ってメガネ専門店へ修理に行かなければならず、時間がかかるばかりか金銭的にも負担がかかる。従って、ねじによる固定方法のメガネ構造は、生活を不便にし、経済的にも不利となるなどの問題点がある。
【０００５】
そこで上記事情を鑑みて、本考案では、フレームとテンプルの取り付け箇所を締めるねじのねじ山が長期的に摩耗することによるねじが緩む問題を改善することができるメガネ構造を提供する。
【課題を解決するための手段】
【０００６】
本考案は、フレーム、二つのテンプル、二つの弾性片及び二つの係止部材を有するメガネ構造を提供する。フレームは相対する二つの端部を有し、いずれの端部にも少なくとも一つの貫通口が設けられる。テンプルはテンプル本体を有し、テンプル本体の一端が湾曲して連接アームを形成し、連接アームがフレームの端部に隣接する。連接アームに貫通口に対応する少なくとも一つの係止孔が設けられ且つ前記連接アームのテンプル本体から離れた側の一端に保持部が形成される。いずれの弾性片も第一部と第二部を有し、第一部が湾曲延伸して第二部を形成し、第一部に少なくとも一つの第一開口が設けられ、第二部に少なくとも一つの第二開口が設けられ、貫通口、第一開口、第二開口及び係止孔が連通し、弾性片は連接アームとフレームとの間に位置する。いずれの係止部材も少なくとも一つの係止凸ブロックを有し、係止凸ブロックに係止構造が設けられ、係止凸ブロックが貫通口、第一開口、第二開口及び係止孔を貫通して、係止凸ブロックの係止構造が保持部に係止される。
【考案の効果】
【０００７】
上述したように、本考案に係るメガネ構造は、係止部材の係止凸ブロックがフレーム端部から連接アームの方向へフレームの貫通口、弾性片の第一開口と第二開口及び連接アームの係止孔を貫通することにより、係止凸ブロックの係止構造が保持部に係止される。これにより、ねじ止めの固定方法を使用せずに、係止部材によりテンプルをフレームに連接固定でき、テンプルの交換が迅速に行え、フレームとテンプルの取り付け箇所の構造の強化などのメリットを有することができる。
【図面の簡単な説明】
【０００８】
【図１】本考案に係るメガネ構造の第一実施例の一部立体組立て図である。
【図２】本考案に係るメガネ構造の第一実施例の一部立体分解図である。
【図３】本考案に係るメガネ構造の第一実施例の平面図である。
【図４】本考案に係るメガネ構造の第一実施例の側面図である。
【図５Ａ】本考案に係るメガネ構造の第一実施例の第一取り外し過程の図である。
【図５Ｂ】本考案に係るメガネ構造の第一実施例の第二取り外し過程の図である。
【図５Ｃ】本考案に係るメガネ構造の第一実施例の第三取り外し過程の図である。
【図５Ｄ】本考案に係るメガネ構造の第一実施例の第四取り外し過程の図である。
【図６】本考案に係るメガネ構造の第二実施例の一部立体分解図である。
【考案を実施するための形態】
【０００９】
本考案の特徴及び技術内容は、以下本考案に係る詳細な説明及び添付図面を参照することにより、深く且つ具体的に理解を得ることができる。しかし、それらの添付図面は参考及び説明にのみ使用され、本考案の範囲を狭義的に制限するものではない。
【００１０】
（第一実施例）
本考案の第一実施例のメガネ構造を開示する。図１及び図２によれば、本考案の第一実施例に係るメガネ構造はフレーム１０、二つのテンプル２０、二つの弾性片３０及び二つの係止部材４０を有する。
【００１１】
フレーム１０は、相対する二つの端部１０１を有し、いずれの端部１０１にも貫通口１０１１が設けられる。フレーム１０の外観は流線型構造である。テンプル２０はテンプル本体２０１を有し、テンプル本体２０１の一端は湾曲して連接アーム２０２を形成する。連接アーム２０２はフレームの端部１０１に隣接する。連接アーム２０２に貫通口１０１１に対応する係止孔２０２１が設けられ、連接アーム２０２のテンプル本体２０１から離れた側の一端に保持部２０２２が形成される。係止孔２０２１は連接アーム２０２を貫通して柱状の保持部２０２２を形成する。
【００１２】
弾性片３０は、第一部３０１及び第二部３０２を有し、第一部３０１は湾曲延伸して第二部３０２を形成する。第一部３０１には第一開口３０１１が設けられる。第二部３０２には第二開口３０２１が設けられる。貫通口１０１１、第一開口３０１１、第二開口３０２１及び係止孔２０２１は連通する。弾性片３０は連接アーム２０２とフレーム１０との間に位置する。
【００１３】
係止部材４０は係止凸ブロック４０１を有し、係止凸ブロック４０１には開口状の係止構造４０１１が設けられる。係止凸ブロック４０１は、貫通口１０１１、第一開口３０１１、第二開口３０２１及び係止孔２０２１を貫通する。係止凸ブロック４０１の係止構造４０１１は保持部２０２２に係止される。係止凸ブロック４０１はフレーム１０の貫通口１０１１に密着する。
【００１４】
テンプル本体２０１の一端は、フレーム１０の二つの端部１０１の間の方向へ湾曲延伸して連接アーム２０２を形成する。テンプル本体２０１の一端と連接アーム２０２とは連続してL字型を呈する。テンプル本体２０１は弾性構造である。
【００１５】
弾性片３０の第一開口３０１１の口径は第二開口３０２１の口径より小さい。その目的は、テンプル２０をフレーム１０から取り外す際に、弾性片３０の第二部３０２を第一部３０１に押圧できるように第二開口３０２１の孔壁とその内部の係止部材４０の係止凸ブロック４０１との間に十分な空間を確保して、保持部２０２２が係止構造４０１１内での係止機制を解除してテンプル２０をフレーム１０から取り外すことができるようにするためである。
【００１６】
テンプル本体２０１に近い弾性片３０の第一部３０１の一端は、フレーム１０の二つの端部１０１の間の方向へ湾曲延伸して第二部３０２を形成する。弾性片３０はＵ字型構造を呈する。補充説明すると、弾性片３０の第一部３０１と第二部３０２の間が所定の距離となるように設けることによって、テンプル２０をフレーム１０から取り外す時、第二部３０２の末端部を第一部３０１に押圧するための適切な空間を第二部３０２と第一部３０１との間に確保することができてテンプル２０の取り外しが容易になる。取り外し及び取付工程は以下で詳細に説明する。
【００１７】
図３及び図４によれば、フレーム１０から離れた側のテンプル本体２０１の一端は、フレーム１０の二つの端部１０１の間の方向へカーブして湾曲構造を形成する。湾曲構造はメガネ使用者毎の耳の形状に合わせて調整できる。湾曲構造は、複数の湾曲角度の形態を有することができ、所定の構造設計ではない。従って、この分野で使用する技術手段はいずれも本考案の応用範囲に属し、本実施例に限られるものではない。
【００１８】
本実施例において、図１及び図２を参考にすると、係止部材４０は基底４０２を有し、基底４０２の面積はフレーム１０の貫通口１０１１の面積より大きい。基底４０２の内表面、すなわち基底４０２の貫通口１０１１に近い側の表面に係止凸ブロック４０１が設けられる。貫通口１０１１、第一開口３０１１及び第二開口３０２１の位置は直線上に配列される。
【００１９】
係止凸ブロック４０１の係止構造４０１１が保持部２０２２に係止される時、基底４０２の内表面は上記フレーム１０の外側表面、すなわちフレーム１０の弾性片３０側と反対側の表面に密着する。そして、フレーム１０の貫通口１０１１に対してより大きな面積を有する基底４０２は貫通口１０１１に係止凸ブロック４０１を係止する効果を有する。
【００２０】
基底４０２の内表面に垂直な係止凸ブロック４０１の側縁周囲は、貫通口１０１１に対応する形状構造に形成される。貫通口１０１１、第一開口３０１１、第二開口３０２１及び係止孔２０２１は方形を呈する。上述した貫通口１０１１、第一開口３０１１、第二開口３０２１及び係止孔２０２１が方形を呈することは好ましい形態であるが、これに限られず、円形またはその他の形状の構造でもよい。
【００２１】
係止構造４０１１は、上から下へ係止凸ブロック４０１を貫通して、連続する第一係止部４０１２と第二係止部４０１３を形成する。係止凸ブロック４０１の一方の側面の中央に切れ目状の係止構造４０１１が設けられ、係止構造４０１１が保持部２０２２に係止される時、係止凸ブロック４０１の一方の側面に相対する係止凸ブロック４０１の他方の側面と係止孔２０２１の孔壁との間は所定の距離となり、且つ保持部２０２２が第二係止部４０１３と弾性片３０の第二部３０２との間に係止される。補充説明すると、基底４０２の内表面に垂直な係止凸ブロック４０１の側縁周囲は方形構造に形成され、又、係止孔２０２１が方形を呈しているため、係止構造４０１１は保持部２０２２に係止された時、係止凸ブロック４０１の側面（上面と下面）は保持部２０２２に隣接する係止孔２０２１の孔縁に対して密着する。
【００２２】
本実施例において、図１及び図２を参考にすると、更に、二つのレンズ５０を有し、フレーム１０は二つの対称をなすレンズ開口１０１２を有し、レンズ開口１０１２は端部１０１に隣接し、レンズ５０はレンズ開口１０１２に対応してフレーム１０に固定される。
【００２３】
本実施例において、図１及び図２を参考にすると、更に、二つの先セル６０を有し、いずれの先セル６０もテンプル本体２０１のフレーム１０から離れた側の一端に嵌められる。その目的はメガネ使用者の耳の後ろを保護して弾性金属構造のテンプル本体２０１の辺縁が耳の後ろの皮膚を圧迫したり傷つけたりするのを防止することにある。以下でメガネ構造の使用状態を詳細に説明する。
【００２４】
本実施例のメガネ構造が従来のメガネ構造と比較して優れている点は、フレーム１０に対するテンプル２０の取り付け又は取り外しのいずれもより易くなることである。メガネ構造の取り外し過程を例にすると、図５Ａはテンプル２０がフレーム１０に対して外向きへ開いた時の装着状態である（図１及び図２も合わせて参照）。この時、テンプル２０の保持部２０２２が係止凸ブロック４０１の第二係止部４０１３と弾性片３０の第二部３０２との間に係止され、第二部３０２が保持部２０２２を支えることでテンプル２０がフレーム１０から外れるのを防止する。図５Ｂを参照すると、取り外し時、第二部３０２の末端部は弾性片３０の第一部３０１まで押圧される。これにより、テンプル２０の保持部２０２２の、第二係止部４０１３と第二部３０２の間への係止機制が解除される。次に、テンプル２０の保持部２０２２は、開口状の係止構造４０１１の構造ルート（開口する方向）に沿って、保持部２０２２を係止構造４０１１から取り外す（図５Ｃを参照）。そして、フレーム１０の貫通口１０１１、弾性片３０の第一開口３０１１及び第二開口３０２１に装着された係止部材３を取り外して（図５Ｄを参照）、取り外し作業が完了する。この取り外し工程を参考にすれば、フレーム１０にテンプル２０を取り付けることができるので、ここでは取付工程の説明は省略する。
【００２５】
（第二実施例）
図６を参照して、本考案の第二実施例について開示する。上述した第一実施例と比較すると、本実施例の改良点は、テンプル本体２０１から離れた側の弾性片３０の第一部３０１の一端がテンプル本体２０１の方向へ湾曲延伸して第二部３０２を形成することにある。取り外し時、弾性片３０の第二部３０２の末端部が第一部３０１まで押圧された時、テンプル２０の保持部２０２２の、第二係止部４０１３と第二部３０２の間への係止機制が解除される。そして第一実施例と同様に、テンプル２０の保持部２０２２は開口状の係止構造４０１１の構造ルート（開口する方向）に沿って、保持部２０２２を係止構造４０１１から取り外すことができる。
【符号の説明】
【００２６】
１０  フレーム
１０１  端部
１０１１  貫通口
１０１２  レンズ開口
２０  テンプル
２０１  テンプル本体
２０２  連接アーム
２０２１  係止孔
２０２２  保持部
３０  弾性片
３０１  第一部
３０１１  第一開口
３０２  第二部
３０２１  第二開口
４０  係止部材
４０１  係止凸ブロック
４０１１  係止構造
４０１２  第一係止部
４０１３  第二係止部
４０２  基底
５０  レンズ
６０  先セル
【図１】
0003171795.tif 000003
【図２】
0003171795.tif 000004
【図３】
0003171795.tif 000005
【図４】
0003171795.tif 000006
【図５Ａ】
0003171795.tif 000007
【図５Ｂ】
0003171795.tif 000008
【図５Ｃ】
0003171795.tif 000009
【図５Ｄ】
0003171795.tif 000010
【図６】
0003171795.tif 000011